(57)【要約】      （修正有）【課題】刃体を必要に応じて取り替えるための手廻し工具において、取り外した多種類のネジを混在することなく収納できる手廻し工具を提供する。【解決手段】一方の端部に刃を設けた複数の刃体２と、複数の刃体２をそれぞれ収納する複数の刃体収納部７、及び複数の刃体２に設けられた刃１２にそれぞれ対応する複数の螺旋を収納する複数の螺旋収納部８が内部に設けられ、螺旋を螺旋収納部８に挿入するための螺旋挿入口９が表面に設けられた柄体１とを備える。【選択図】図１
0003159917.tif 000002
【実用新案登録請求の範囲】
【請求項１】
一方の端部に刃を設けた複数の刃体と、
前記複数の刃体をそれぞれ収納する複数の刃体収納部、及び前記複数の刃体に設けられた刃にそれぞれ対応する複数の螺旋を収納する複数の螺旋収納部が内部に設けられ、前記螺旋を前記螺旋収納部に挿入するための螺旋挿入口が表面に設けられた柄体と、
を備えたことを特徴とする手廻し工具。
【請求項２】
前記柄体は、
前記複数の刃体収納部と前記複数の螺旋収納部とを、互いに対応する刃体収納部と螺旋収納部とが隣接するように設けた
ことを特徴とする請求項１記載の手廻し工具。
【請求項３】
前記螺旋挿入口は、
スリットが設けられた弾性体が取り付けられた
ことを特徴とする請求項１又は２記載の手廻し工具。
【請求項４】
前記柄体は、
前記螺旋挿入口を開閉するようにスライド自在に配置された挿入蓋を、有する
ことを特徴とする請求項１〜３のうちいずれか１項記載の手廻し工具。
【請求項５】
前記挿入蓋は、光透過性部材により成型され、
前記柄体は、
前記挿入蓋が螺旋挿入口を開放する位置に配置されたときに重なり合う部分が光透過性部材により成型された
ことを特徴とする請求項４記載の手廻し工具。
【請求項６】
前記柄体は、
前記複数の螺旋収納部の開口部の一部又は全部を塞ぐように、端部に螺合された蓋部を、有する
ことを特徴とする請求項１〜５のいずれか１項記載の手廻し工具。
【請求項７】
前記蓋部は、
前記複数の螺旋収納部の開口部のうちいずれか１つの開口部を開放する個別取り出し蓋を、有する
ことを特徴とする請求項６記載の手廻し工具。
【請求項８】
前記個別取り出し蓋は、
前記柄体の略中心を貫く軸を回転軸として回転自在に固定された円盤形状の部材であり、前記複数の螺旋収納部の開口部のうちいずれか１つの開口部を開放させるように１つの貫通穴が設けられた
ことを特徴とする請求項７記載の手廻し工具。
【請求項９】
前記蓋部は、
前記複数の螺旋収納部の全ての開口部を開閉自在に設けられた取り出し蓋を、有する
ことを特徴とする請求項６〜８のうちいずれか１項記載の手廻し工具。
【請求項１０】
前記取り出し蓋は、
円盤形状を有し、前記複数の螺旋収納部側の面に円盤形状の磁石が設けられた
ことを特徴とする請求項９記載の手廻し工具。
【考案の詳細な説明】
【技術分野】
【０００１】
本考案は、手廻し工具に関し、特に、刃体を必要に応じて取り替えることが可能な手廻し工具に関する。
【背景技術】
【０００２】
一般的に、刃体を必要に応じて取り替えることが可能な手廻し工具であり、使用時には、先端に刃先を設けた刃体を柄体の先端に固定するものよく知られている。
【０００３】
特許文献１には、握柄の、先端と、側面に、それぞれ嵌合穴を設け、心棒を着脱自在にするドライバーが記載されている。
【０００４】
また、特許文献２には、柄体の多端方向に３個の中空円形挿入孔を穿孔し、断面略３つの円形中空部を形成し、中空円形挿入孔内に替え刃体杆及び取り付け用ホルダを挿脱自在に挿入するドライバーが記載されている。
【０００５】
さらに、特許文献３及び特許文献４には、複数の刃体を柄体の内部に収納し、外部操作に基づいて、収納された複数の刃体のうちいずれか１つが柄体から突出することにより、使用する刃体を取り替えるドライバーが提案されている。
【先行技術文献】
【特許文献】
【０００６】
【特許文献１】特開昭５９−１２４５７８号公報
【特許文献２】特開２００１−２７７１４２号公報
【特許文献３】特開平１１−２２１７７８号公報
【特許文献４】特公平５−４７３５５号公報
【考案の概要】
【考案が解決しようとする課題】
【０００７】
しかしながら、利用者が、特許文献１〜特許文献４に記載の手廻しドライバーを用いてネジを回転させて外す場合、ネジを取り外した後、この取り外したネジを紛失してしまう場合があった。
【０００８】
また、特許文献１〜特許文献４に記載の手廻しドライバーのように、ドライバーの刃体を必要に応じて取り替えることができる場合、様々な大きさのネジを取り外すことが可能である。そのため、利用者は、取り外した多種類のネジを混在させてしまう場合があった。
【０００９】
本考案は、上記課題に鑑みてなされたものであり、取り外した多種類のネジを混在することなく収納可能な手廻し工具を提供することを目的とする。
【課題を解決するための手段】
【００１０】
上記目的を達成するため、本考案に係る手廻し工具の第１の特徴は、一方の端部に刃を設けた複数の刃体と、前記複数の刃体をそれぞれ収納する複数の刃体収納部、及び前記複数の刃体に設けられた刃にそれぞれ対応する複数の螺旋を収納する複数の螺旋収納部が内部に設けられ、前記螺旋を前記螺旋収納部に挿入するための螺旋挿入口が表面に設けられた柄体と、を備えたことにある。
【００１１】
上記目的を達成するため、本考案に係る手廻し工具の第２の特徴は、前記柄体は、前記複数の刃体収納部と前記複数の螺旋収納部とを、互いに対応する刃体収納部と螺旋収納部とが隣接するように設けたことにある。
【００１２】
上記目的を達成するため、本考案に係る手廻し工具の第３の特徴は、前記螺旋挿入口は、スリットが設けられた弾性体が取り付けられたことにある。
【００１３】
上記目的を達成するため、本考案に係る手廻し工具の第４の特徴は、前記柄体は、前記螺旋挿入口を開閉するようにスライド自在に配置された挿入蓋を、有することにある。
【００１４】
上記目的を達成するため、本考案に係る手廻し工具の第５の特徴は、前記挿入蓋は、光透過性部材により成型され、前記柄体は、前記挿入蓋が螺旋挿入口を開放する位置に配置されたときに重なり合う部分が光透過性部材により成型されたことにある。
【００１５】
上記目的を達成するため、本考案に係る手廻し工具の第６の特徴は、前記柄体は、前記複数の螺旋収納部の開口部の一部又は全部を塞ぐように、端部に螺合された蓋部を、有することにある。
【００１６】
上記目的を達成するため、本考案に係る手廻し工具の第７の特徴は、前記蓋部は、前記複数の螺旋収納部の開口部のうちいずれか１つの開口部を開放する個別取り出し蓋を、有することにある。
【００１７】
上記目的を達成するため、本考案に係る手廻し工具の第８の特徴は、前記個別取り出し蓋は、前記柄体の略中心を貫く軸を回転軸として回転自在に固定された円盤形状の部材であり、前記複数の螺旋収納部の開口部のうちいずれか１つの開口部を開放させるように１つの貫通穴が設けられたことにある。
【００１８】
上記目的を達成するため、本考案に係る手廻し工具の第９の特徴は、前記蓋部は、前記複数の螺旋収納部の全ての開口部を開閉自在に設けられた取り出し蓋を、有することにある。
【００１９】
上記目的を達成するため、本考案に係る手廻し工具の第１０の特徴は、前記取り出し蓋は、円盤形状を有し、前記複数の螺旋収納部側の面に円盤形状の磁石が設けられたことにある。
【考案の効果】
【００２０】
本考案に係る手廻し工具によれば、取り外した多種類のネジを混在することなく収納することができる。
【図面の簡単な説明】
【００２１】
【図１】本考案の実施例１に係る手廻し工具の分解斜視図である。
【図２】本考案の実施例１に係る手廻し工具の断面図である。
【図３】図２におけるＢ方向から見た本考案の実施例１に係る手廻し工具の平面図である。
【図４】本考案の実施例２に係る手廻し工具の断面図である。（ａ）は、１つの刃体が柄体から突出した状態の断面を示しており、（ｂ）は、他の刃体が柄体から突出した状態の断面を示している。
【図５】図４におけるＢ方向から見た本考案の実施例２に係る手廻し工具の平面図である。
【図６】本考案の実施例３に係る手廻し工具の斜視図である。
【図７】本考案の実施例４に係る手廻し工具の平面図である。
【考案を実施するための形態】
【００２２】
以下、本考案を実施するための形態について図面を参照して説明する。
【実施例１】
【００２３】
以下、本考案の実施例１に係る手廻し工具について、図面を参照して詳細に説明する。
【００２４】
図１は、本考案の実施例１に係る手廻し工具の分解斜視図である。
【００２５】
図１に示すように、本考案の実施例１に係る手廻し工具１００は、柄体１と、刃体２とを備えている。
【００２６】
柄体１は、本体部３と蓋部４とを備えている。本体部３は、合成樹脂等で筒状に成型されており、本体部３の一方の端部（刃体２と反対側の端部）には、蓋接続部５が備えられている。利用者は、蓋部４を蓋接続部５に接触させて図１に示すＹ１方向に押し込ながらＸ１方向に回転させることにより、蓋部４が蓋接続部５に接続される。逆に、利用者は、蓋部４を蓋接続部５に接触させて図１に示すＹ２方向に引っ張りながらＸ２方向に回転させることにより、蓋部４が蓋接続部５から取り外される。
【００２７】
また、本体部３の他方の端部（刃体２側の端部）には、断面矩形の刃体接続部６が備えられている。そして、後述する刃体２が刃体接続部６へ挿入されることにより、刃体２が柄体１に接続される。
【００２８】
本体部３の内部には、３種類の刃体２をそれぞれ収納する３つの刃体収納部７、及び３種類の刃体に設けられた刃に対応する３種類の螺旋をそれぞれ収納する３つの螺旋収納部を、互いに対応する刃体収納部７及び螺旋収納部８が隣接するように設けられている。この刃体収納部７及び螺旋収納部８については、後述する。
【００２９】
本体部３の表面には、螺旋収納部８と連通する螺旋挿入口９が備えられており、この螺旋挿入口９を塞ぐように、ゴム等の弾性体１０が配置されている。この弾性体１０には、スリットが設けられており、例えば、利用者が取り外された螺旋をこのスリット部分に押し込むことにより、螺旋が螺旋収納部８内に収納される。また、このスリットは、螺旋収納部８の内部に収納された螺旋が螺旋挿入口９から飛び出すのを防止する。
【００３０】
さらに、本体部３の表面には、螺旋挿入口９を開閉するようにスライド自在に挿入蓋１１が配置されている。挿入蓋１１の表面には、突起１１ａが備えられており、利用者が突起１１ａを指で引っ掛けるようにして挿入蓋１１をＺ２方向にスライドさせることにより、螺旋挿入口９を完全に閉蓋する。また、利用者が指で挿入蓋１１をＺ１方向にスライドさせることにより、螺旋挿入口９を開放する。この螺旋挿入口９が開放された状態において、利用者は、螺旋挿入口９の弾性体１０のスリット部分に螺旋を押し込むことにより、螺旋が螺旋収納部８内に螺旋を収納することができる。
【００３１】
また、柄体１において、挿入蓋１１がＺ１方向にスライドされて螺旋挿入口９を開放する位置に配置されたときに重なり合う部分が、例えばアクリル樹脂等の光透過性部材により成型されている。これにより、利用者は、挿入蓋１１を通じて螺旋収納部８の内部を目視することができるので、螺旋収納部８の内部に収納された螺旋の収納状態を確認することができる。
【００３２】
刃体２は、断面矩形に成型された軸体１３と、この軸体１３の先端に設けられた刃先１２とを備えている。そして軸体１３の端部が、柄体１の刃体接続部６へ挿入されることにより、刃体２が柄体１に接続される。なお、この刃先１２は、プラス刃でもよいし、マイナス刃でもよいし、断面六角形状の六角レンチ刃でもよい。また、この刃体２は、非磁性体の金属により成型されたものでもよいし、磁石により成型されたものでもよい。刃体２が磁石により成型されている場合、磁性体で成型された螺旋は、磁力により刃体２に引き寄せられるので、より螺旋を紛失し難くなるという効果を得ることができる。
【００３３】
さらに、刃体接続部６が磁性体にて成型されている場合、磁石にて成型された刃体２が刃体接続部６へ挿入されることで、磁力により刃体２が刃体接続部６に引き寄せられ、より強固に刃体２と刃体接続部６とが接続される。
【００３４】
図２は、本考案の実施例１に係る手廻し工具１００の断面図である。
【００３５】
手廻し工具１００を用いて、螺旋を締め付けたり緩めたりする場合、刃先１２を螺旋の溝に緊密に嵌め込み、利用者は、手廻し工具１００の柄体１を握って、手廻し工具１００と螺旋とを強く押さえつける。そして、利用者は、手廻し工具１００と螺旋とが一体となった状態で保持したまま、図２に示すように、軸Ｐを回転軸として手廻し工具１００と螺旋とを回転させることにより、螺旋を締め付けたり、緩めたりする。
【００３６】
図２に示すように、手廻し工具１００の蓋部４は、蓋本体部１４と取り出し蓋１５とを備えている。
【００３７】
蓋本体部１４は、刃体収納部７及び螺旋収納部８の開口部を塞ぐように、蓋接続部５に螺合されており、取り出し蓋１５は、蝶番等を用いてＡ方向に開閉自在に蓋本体部１４に固定されている。
【００３８】
図３は、図２におけるＢ方向から見た本考案の実施例１に係る手廻し工具１００の平面図である。
【００３９】
図３に示すように、本体部３の内部には、３種類の刃体２をそれぞれ収納する３つの刃体収納部７と、３種類の刃体２に設けられた刃先１２に対応する３種類の螺旋をそれぞれ収納する３つの螺旋収納部８とが、互いに対応する刃体収納部７及び螺旋収納部８が隣接するように設けられている。即ち、１つの刃体収納部７と１つの螺旋収納部８とで１組の収納部を構成し、３組の収納部が設けられている。
【００４０】
また、蓋本体部１４は、光透過性部材で円盤状に形成された、軸Ｐを回転軸として回転自在に固定された個別取り出し蓋１９を備えている。ここで、個別取り出し蓋１９は、軸Ｐにおいて回転自在に保持されるようにしてもよいし、個別取り出し蓋１９の外周部において回転自在に保持されるようにしてもよい。
【００４１】
個別取り出し蓋１９は、刃体収納部７及び螺旋収納部８の開口部のうちいずれか１つの開口部を開放させるように１つの貫通穴１９ａが設けられており、この個別取り出し蓋１９上の貫通穴１９ａの近傍には、突起１９ｂが設けられている。
【００４２】
利用者は、突起１９ｂを指で引っ掛け、軸Ｐを中心に円周方向（Ｃ方向）に個別取り出し蓋１９を回転させることにより、刃体収納部７及び螺旋収納部８の開口部のうちいずれか１つの開口部と、貫通穴１９ａとが重なり合う。これにより、刃体収納部７及び螺旋収納部８のうちいずれか１つに収納された刃体２又は螺旋を、貫通穴１９ａから取り出すことができる。
【００４３】
取り出し蓋１５は、円盤状に形成されている。また、取り出し蓋１５は、蝶番１６により支持されており、刃体収納部７及び螺旋収納部８の全ての開口部を閉蓋するために十分な面積を有している。
【００４４】
蓋本体部１４には、円周に沿って環状の磁石１７が配置されており、取り出し蓋１５には、蓋本体部１４の磁石１７に対応する位置に環状の磁性体１８が配置されている。この磁石１７と磁性体１８とが接触することにより、刃体収納部７及び螺旋収納部８の全ての開口部を閉蓋することができる。
【００４５】
以上のように、本考案の実施例１に係る手廻し工具１００によれば、３種類の刃体２をそれぞれ収納する３つの刃体収納部７及び３種類の刃体２に設けられた刃先に対応する３種類の螺旋をそれぞれ収納する３つの螺旋収納部８が柄体１の内部に設けられ、螺旋を螺旋収納部８に挿入するための螺旋挿入口９が表面に設けられた柄体１を備えるので、利用者は、螺旋を取り外した際、この取り外した螺旋と、使用した刃体２とを刃体収納部７及び螺旋収納部８に収納することにより、１組の螺旋と刃体２として収納することができる。これにより、利用者は、取り外した他種類のネジを混在することなく収納することができる。
【００４６】
なお、本考案の実施例１では、３つの刃体収納部７及び３つの螺旋収納部８が柄体１の内部に設けられた手廻し工具１００を例に挙げて説明したが、それぞれ３つに限らず、２つの刃体収納部７及び２つの螺旋収納部８が柄体１の内部に設ける構成としてもよいし、４つ以上の刃体収納部７及び４つ以上の螺旋収納部８が柄体１の内部に設ける構成としてもよい。
【００４７】
また、本考案の実施例１では、蓋本体部１４に磁石１７を配置し、取り出し蓋１５の蓋本体部１４の磁石１７に対応する位置に磁性体１８を配置した手廻し工具１００を例に挙げて説明したが、これに限らない。例えば、蓋本体部１４に磁石１７を配置し、取り出し蓋１５の蓋本体部１４の磁石１７に対応する位置に磁石１７に引き寄せられる磁石を配置するようにしてもよい。
【実施例２】
【００４８】
本考案の実施例１では、利用者が、刃体収納部７に収納された３種類の刃体２のいずれか１つを、柄体１の刃体接続部６へ挿入することにより、刃体２が柄体１に接続される手廻し工具１００を例に挙げて説明したが、これに限らない。
【００４９】
本考案の実施例２では、３種類の刃体を柄体の内部に収納し、利用者のスライド操作によって、収納された３種類の刃体のうちいずれか１つが柄体から突出する手廻し工具を例に挙げて説明する。
【００５０】
図４は、本考案の実施例２に係る手廻し工具２００の断面図である。（ａ）は、１つの刃体が柄体から突出した状態の断面を示しており、（ｂ）は、他の刃体が柄体から突出した状態の断面を示している。
【００５１】
図４（ａ），（ｂ）に示すように、本考案の実施例２に係る手廻し工具２００は、柄体３０と、３種類の刃体２０とを備えている。
【００５２】
柄体３０は、本体部５０と蓋部４０とを備えている。本体部５０は、合成樹脂等で筒状に成型されており、本考案の実施例１に係る手廻し工具１００と同様に、蓋部４０は本体部５０に螺合している。
【００５３】
３種類の刃体２０は、それぞれ刃先２１と、操作部２３と、刃先２１及び操作部２３を接続する弾性体で形成された接続部２２とを備えている。利用者は、図４（ａ）に示す操作部２３の位置から、図４（ｂ）に示すように、Ｄ方向に操作部２３をスライドさせることにより、この操作部２３に接続部２２を介して接続された刃先２１が、柄体３０の端部から突出する。
【００５４】
本体部５０の内部には、３種類の刃体２０をそれぞれ収納する３つの刃体収納部７、３種類の刃体２０に設けられた刃先２１に対応する３種類の螺旋をそれぞれ収納する３つの螺旋収納部８が設けられている。
【００５５】
また、図示しないが、本体部５０の表面には、本考案の実施例１に係る手廻し工具１００と同様に、螺旋収納部８と連通する螺旋挿入口９及び挿入蓋１１が備えられている。
【００５６】
さらに、図４（ａ），（ｂ）に示すように、手廻し工具１００の蓋部４０は、蓋本体部４１と取り出し蓋１５とを備えている。
【００５７】
蓋本体部４１は、螺旋収納部８の開口部を塞ぐように、本体部５０に螺合されており、取り出し蓋１５は、蝶番等を用いてＡ方向に開閉自在に蓋本体部４１に固定されている。
【００５８】
図５は、図４（ａ）におけるＢ方向から見た本考案の実施例２に係る手廻し工具２００の平面図である。
【００５９】
図５に示すように、本体部５０の内部には、３種類の刃体２０をそれぞれ収納する３つの刃体収納部７と、３種類の刃体２０に設けられた刃先１２に対応する３種類の螺旋をそれぞれ収納する３つの螺旋収納部８とが、互いに対応する刃体収納部７及び螺旋収納部８が隣接するように設けられている。即ち、１つの刃体収納部７と１つの螺旋収納部８とで１組の収納部を構成し、３組の収納部が設けられている。
【００６０】
また、蓋本体部４１は、光透過性部材で円盤状に形成され、軸Ｐを回転軸として回転自在に固定された個別取り出し蓋１９を備えている。ここで、個別取り出し蓋１９は、軸Ｐにおいて回転自在に保持されるようにしてもよいし、個別取り出し蓋１９の外周部において回転自在に保持されるようにしてもよい。
【００６１】
個別取り出し蓋１９は、螺旋収納部８の開口部のうちいずれか１つの開口部を開放させるように１つの貫通穴１９ａが設けられており、この個別取り出し蓋１９上の貫通穴１９ａの近傍には、突起１９ｂが設けられている。
【００６２】
利用者は、突起１９ｂを指で引っ掛け、軸Ｐを中心に円周方向（Ｃ方向）に個別取り出し蓋１９を回転させることにより、螺旋収納部８の開口部のうちいずれか１つの開口部と、貫通穴１９ａとが重なり合う。これにより、螺旋収納部８のうちいずれか１つに収納された螺旋を、貫通穴１９ａから取り出すことができる。
【００６３】
取り出し蓋１５は、円盤状に形成されている。また、取り出し蓋１５は、蝶番１６により支持されており、螺旋収納部８の全ての開口部を閉蓋するために十分な面積を有している。
【００６４】
蓋本体部１４には、円周に沿って磁石１７が配置されており、取り出し蓋１５には、蓋本体部１４の磁石１７に対応する位置に磁性体１８が配置されている。この磁石１７と磁性体１８とが接触することにより、螺旋収納部８の全ての開口部を閉蓋することができる。
【００６５】
以上のように、本考案の実施例２に係る手廻し工具２００によれば、刃体２０を取り出すことなく、利用者のスライド操作によって、刃体２０を柄体から突出させることができるので、本考案の実施例１に係る手廻し工具１００による効果に加え、刃体２０の紛失を防止することができる。
【実施例３】
【００６６】
本考案の実施例１では、個別取り出し蓋１９を回転させて、刃体収納部７及び螺旋収納部８の開口部のうちいずれか１つの開口部と貫通穴１９ａとが重なり合うところで、刃体収納部７及び螺旋収納部８のうちいずれか１つに収納された刃体２又は螺旋を取り出すことができる手廻し工具１００を例に挙げて説明した。
【００６７】
本考案の実施例３では、個別取り出し蓋１９を回転させて、３つの螺旋収納部８のうちいずれか１つと貫通穴１９ａとが重なり合うところで、螺旋収納部８を手前に引き出すことにより、螺旋収納部８のうちいずれか１つに収納された螺旋を取り出すことができる手廻し工具３００を例に挙げて説明する。
【００６８】
図６は、本考案の実施例３に係る手廻し工具３００の斜視図である。
【００６９】
図６に示すように、手廻し工具３００が備える螺旋収納部８は、螺旋を収納する収納体８１と収納蓋８２とを備えており、収納蓋８２には突起８３が備えられている。
【００７０】
そして、利用者が個別取り出し蓋１９を回転させて、３つの螺旋収納部８のうちいずれか１つと貫通穴１９ａとが重なり合うところで、突起８３を摘み、Ｅ方向に螺旋収納部８を引き出すことにより、螺旋収納部８の収納体８１の内部に収納された螺旋を取り出すことができる。
【００７１】
以上のように、本考案の実施例３に係る手廻し工具３００によれば、引き出し可能な螺旋収納部８を備えるので、本考案の実施例１に係る手廻し工具１００による効果に加え、利用者が螺旋を取り出す際、紛失することなく簡単に取り出すことができる。
【実施例４】
【００７２】
本考案の実施例１では、蓋本体部１４に環状の磁石１７を配置し、取り出し蓋１５の蓋本体部１４の磁石１７に対応する位置に環状の磁性体１８を配置した手廻し工具１００を例に挙げて説明した。
【００７３】
本考案の実施例４では、蓋本体部１４に環状の磁性体１８を配置し、取り出し蓋１５の蓋本体部１４側全面に円盤形状の磁石２４を配置した手廻し工具４００を例に挙げて説明する。
【００７４】
図７は、本考案の実施例４に係る手廻し工具４００の平面図である。
【００７５】
図７に示すように、蓋本体部１４に環状の磁性体１８を配置されており、取り出し蓋１５の蓋本体部１４側の略全面に円盤形状の磁石２４が配置されている。
【００７６】
これにより、利用者が、螺旋収納部８に収納された螺旋を貫通穴１９ａから取り出した際、この取り出された螺旋が取り出し蓋１５に配置された磁石２４に引き寄せられるので、螺旋が落下紛失し難くなる。
【００７７】
また、蓋接続部５に螺合された蓋本体部１４を取り外すことができるので、この取り外した蓋本体部１４内に螺旋を載置することもできる。このとき、取り出し蓋１５に配置された磁石２４に螺旋が磁力により引き寄せられるので、螺旋を紛失し難いという効果を得ることができる。
【符号の説明】
【００７８】
１，３０…柄体
２，２０…刃体
３，５０…本体部
４，４０…蓋部
５…蓋接続部
６…刃体接続部
７…刃体収納部
８…螺旋収納部
９…螺旋挿入口
１０…弾性体
１１…挿入蓋
１１ａ…突起
１２，２２…刃先
１４…蓋本体部
１５…取り出し蓋
１６…蝶番
１７，２４…磁石
１８…磁性体
１９…個別取り出し蓋
１９ａ…貫通穴
１９ｂ…突起
２２…接続部
２３…操作部
１００，２００…手廻し工具
【図１】
0003159917.tif 000003
【図２】
0003159917.tif 000004
【図３】
0003159917.tif 000005
【図４】
0003159917.tif 000006
【図５】
0003159917.tif 000007
【図６】
0003159917.tif 000008
【図７】
0003159917.tif 000009